(57)【要約】【課題】  従来技術は、叩打部を連続して揺動させて連続打音を作り出すもので、本発明のような指に取り付けて叩打するものではない。  また、別の従来技術は、指に付けるタイプであるが、サック部の先端に小形のマレットを取り付けたようなもので、ある程度の指の力（振り下ろす力）がないと音が出にくい問題がある。【解決手段】  指先端部に着脱自在に取り付けるべく、指先端部下部に位置する平板状の支持部を設け、この支持部の後部に指に固定すべく固定部を設けると共に、支持部の先端の下方に打楽器を叩くべく叩打部を設けてなることを特徴とする。【選択図】図１
2020187337.tif 000002
【特許請求の範囲】
【請求項１】
指先端部に着脱自在に取り付けるべく、指先端部下部に位置する平板状の支持部を設け、この支持部の後部に指に固定すべく固定部を形設した本体を設けると共に、支持部の先端の下方に打楽器を叩くべく叩打部を設けてなることを特徴とする指用マレット。
【請求項２】
前記本体は、支持部と固定部を一体に設けてなることを特徴とする請求項１記載の指用マレット。
【請求項３】
前記固定部が、指に巻き付けて固定する形態のものであることを特徴とする請求項１又は２記載の指用マレット。
【請求項４】
前記叩打部がしずく形であることを特徴とする請求項１、２又は３記載の指用マレット。
【請求項５】
前記叩打部がステンレス製・鉄製・銅製・アルミ製・真鍮製のどれか１つであることを特徴とする請求項１、２、３又は４記載の指用マレット。
【請求項６】
前記叩打部の下面に音質を変更するシール部を設けてなることを特徴とする請求項１、２、３、４又は５記載の指用マレット。
【発明の詳細な説明】
【技術分野】
【０００１】  本発明は、指に取り付け、指先の圧力にて打楽器を演奏する指用マレットに関するものである。
【背景技術】
【０００２】  従来の技術としては、把持部と叩打部とから少なくともなり、前記把持部内に叩打部を連続して揺動させる作動体を収容してなる打楽器を叩打する打楽器玩具用マレット及びそれを用いた打楽器玩具セットがある。（特許文献１参照）【０００３】  また、別の従来技術として、可撓性材料で形成され指に装着可能な指サック部と、該指サック部の先端部に基端が固定された接続棒部と、該接続棒部の先端に固定された球形状の重り部とを備えている。これにより、手のひらで持つのではなく、指サック部内に指を差し込んで固定できると共に、指や手を動かして先端の重り部を、太鼓やドラム又は鍋やフライパン等に叩打することで容易に打撃音を発生させて演奏を行うことができるものがある。（特許文献２参照）
【先行技術文献】
【特許文献】
【０００４】
【特許文献１】特開２００１−８３９６３号公報
【特許文献２】実用新案登録第３１４８９９０号公報
【発明の概要】
【発明が解決しようとする課題】
【０００５】  上記前者のものは、叩打部を連続して揺動させて連続打音を作り出すもので、本発明のような指に取り付けて叩打するものではない。【０００６】  また、上記後者のものは、指に付けるタイプであるが、サック部の先端に小形のマレットを取り付けたようなもので、ある程度の指の力（振り下ろす力）がないと音が出にくい問題がある。【０００７】  本発明は、このような従来の構成が有していた問題を解決しようとするもので、支持部の先端の下方に打楽器を叩くべく叩打部を設けることにより、力がなくても指先を振り下ろすだけで、打楽器に打音を発生させることができる。
また、叩打部の材質やシールを設けることにより、音色や音質を変えることができる指用マレットを提供することを目的とする。
【課題を解決するための手段】
【０００８】  本発明は上記目的を達成するため、指先端部に着脱自在に取り付けるべく、指先端部下部に位置する平板状の支持部を設け、この支持部の後部に指に固定すべく固定部を形設した本体を設けると共に、支持部の先端の下方に打楽器を叩くべく叩打部を設けてなること。前記本体は支持部と固定部を一体に設けてなること。前記固定部が、指に巻き付けて固定する形態のものであること。前記叩打部がしずく形であること。前記叩打部がステンレス製・鉄製・銅製・アルミ製・真鍮製のどれか１つであること。前記叩打部の下面に音質を変更するシール部を設けてなることを特徴とする。
【発明の効果】
【０００９】１）、指先端部に着脱自在に取り付け、指先端部に位置する支持部の先端の下方に打楽器を叩くべく、叩打部を設けることにより、指先を振り下ろすのみで打楽器（鉄琴・木琴・太鼓等）に打音を発生させることができる。
２）、固定部が、指の大きさ（太さ）に合わせて巻き付けて固定できる。
３）、叩打部の形状を涙形や球形等にすることにより音色等を好みに合わせて変更できる。
４）、叩打部の材質を変更することにより音色（音感）等を好みに合わせて変更できる。
５）、シール部により好みに合わせた音質等に変更できる。
６）、握力のない方や指に障害をお持ちの方も使用できる。
７）、脳（認知症等）の訓練にもなる。
【図面の簡単な説明】
【００１０】
【図１】  本発明の第１実施例を示す指用マレットの正面図。
【図２】  本発明の第１実施例を示す指用マレットの平面図。
【図３】  本発明の第１実施例を示す指用マレットの側面図。
【図４】  本発明の第１実施例を示す指用マレットの使用状態図。
【図５】  本発明の第２実施例を示す指用マレットの正面図。
【図６】  本発明の第３実施例を示す指用マレットの叩打部の正面図。
【発明を実施するための形態】
【００１１】  １は、指用マレットである。
２は、本体で、指先端部に着脱自在に取り付けるべく、指先端下部に位置する平板状の支持部２ａを設け、この支持部２ａの後部一体に指に固定すべく、両側上方に立設した固定部２ｂを設けてある。
３はしずく形の叩打部で、打楽器を叩くべく前記支持部２ａの先端下方に設けてある。（図１・図２．図３）
【００１２】  指用マレット１の使用例について説明する。
例えば、木琴Ｍを演奏するとして、予め指Ｙに指用マレット１を取り付けるべく、指先端部ＹＳに固定部２ｂを巻き付けて固定する。その後、各音板ＯＢの上から指Ｙを振り下ろし叩打部３にて音板ＯＢを叩くことにより、音を発生させることができ、演奏できるものである。
【００１３】  つぎに、第２実施例の指用マレットについて説明する。
指用マレット２１は、上記指用マレット１の叩打部３の下部に、ゴムや樹脂等によるシール部４を設けてある。
このことにより、叩いた時の音質を変えることができる。
【００１４】  最後に第３実施例の指用マレットについて説明する。
この指用マレット３１は、叩打部３３を変更してなるもので、球状に形してなるものである。
【００１５】  なお、各実施例において、材質は必要に応じて決めればよく、特に限定するものではない。
特に、叩打部の材質を変更することにより、音色等が変わるものである。
また、叩打部の形状も変更することにより、音色等が変わるものである。
さらに、シール部の材質や厚みにより、音色等が変わるものである。
さらにまた、打楽器は木琴に限定するものではない。
【符号の説明】
【００１６】１―――指用マレット
２―――本体０
２ａ――支持部
２ｂ――固定部
３―――叩打部
４―――シール部
Ｍ―――木琴
ＯＢ――音板
【図１】
2020187337.tif 000003
【図２】
2020187337.tif 000004
【図３】
2020187337.tif 000005
【図４】
2020187337.tif 000006
【図５】
2020187337.tif 000007
【図６】
2020187337.tif 000008